(57)【特許請求の範囲】
【請求項１】
基地局における多ユーザフィードバック情報の分類合成伝送方法であって、
特定の基準によってユーザを分類する工程と、
異なる種別毎にユーザに送信するフィードバック情報を合成する工程と、
合成後のフィードバック情報を圧縮する工程と、
圧縮後のフィードバック情報を再合成する工程と、
再合成されたフィードバック情報に対して符号化を行う工程と、
符号化されたフィードバック情報をユーザに送信する工程と、
を有する分類合成伝送方法。
【請求項２】
前記特定の基準はユーザの伝送効率であり、伝送効率が同じであるユーザを１種類とする請求項１記載の分類合成伝送方法。
【請求項３】
前記特定の基準はユーザ信号のＳＮＲ値であり、ＳＮＲ値が同じ範囲内に属するユーザを１種類とする請求項１記載の分類合成伝送方法。
【請求項４】
前記特定の基準はユーザのドップラーシフトであり、ドップラーシフトが同じ範囲内に属するユーザを１種類とする請求項１記載の分類合成伝送方法。
【請求項５】
異なる圧縮方法を用いて、異なる種類のユーザのフィードバック情報に対して圧縮を行う請求項１に記載の分類合成伝送方法。
【請求項６】
前記圧縮方法は情報の長さを有効に短くすることができる圧縮符号化アルゴリズムである請求項５記載の分類合成伝送方法。
【請求項７】
前記符号化は誤り訂正符号化である請求項１記載の分類合成伝送方法。
【請求項８】
多ユーザフィードバック情報に対して分類合成伝送を行う基地局であって、
種別毎に複数のユーザのフィードバック情報を収集できるように特定の基準に基づいてユ―ザを分類する多ユーザフィードバック情報分類器と、
種類が異なる合成されたフィードバック情報の特性に基づいて、適切な圧縮方法を用いて合成されたフィードバック情報に対してデータ圧縮を行う分類フィードバック情報圧縮器と、
圧縮後の分類フィードバック情報を再合成する分類フィードバック情報合成器と、
受信側で誤り訂正検出ができるように送信するフィードバック情報に冗長情報を付加する冗長情報符号化器と、
符号化後のフィ―ドバック情報をユーザに送信する送信器と、
を有する基地局。
【請求項９】
前記特定の基準はユーザの伝送効率であり、伝送効率が同じであるユーザを１種類とする請求項８記載の基地局。
【請求項１０】
前記特定の基準はユーザ信号のＳＮＲ値であり、ＳＮＲ値が同じ範囲内に属するユーザを１種類とする請求項８記載の基地局。
【請求項１１】
前記特定の基準はユーザのドップラーシフトであり、ドップラーシフトが同じ範囲内に属するユーザを１種類とする請求項８記載の基地局。
【請求項１２】
前記圧縮方法は情報の長さを有効に短くすることができる圧縮符号化アルゴリズムである請求項８記載の基地局。
【発明の詳細な説明】
【技術分野】
【０００１】
本発明は、移動通信システムの基地局における多ユーザフィードバック情報の分類合成伝送方法に関し、特に、基地局において種別毎に多ユーザのフィードバック情報を合成し、合成後の情報に対してデータの特性に適した圧縮方法を用いて圧縮し、それから再合成して伝送する分類合成伝送方法に関する。
【背景技術】
【０００２】
従来の移動通信では、劣悪な無線チャネル環境が無線チャネルの信頼性の低下や時間変動を招くため、チャネルエンコーディングと誤り訂正技術が必要となる。現在、比較的常用される技術は、自動再送要求（ＡＲＱ）技術と誤り訂正（ＦＥＣ）技術とを組み合わせたハイブリッド自動再送（ＨＡＲＱ）技術であって、これによって誤り検出と訂正を行う。現在、ハイブリッド自動再送技術は三つのタイプに分けられる。タイプIは、受信側で正しく受信できなかったパケットを破棄し、否定応答（ＮＡＣＫ：誤りあり）を返すことによって送信側に当該パケットのコピーを再送させ、新しく受信したパケットを独立に復号する。タイプIIは、受信側で誤ったパケットを破棄せず、再送された情報と合成して復号を行う。タイプIIIは、再送された情報は以前伝送されたパケットと合成できるが、再送されたパケットにはデータを正しく受信するために必要なすべての情報が含まれている。
【０００３】
ＨＡＲＱを用いてチャネルの誤り訂正を行う際、まず送信側で符号化後の情報を受信側に送信し、受信側で情報を受信した後、情報に対して誤り訂正復号を行う。データを正しく受信できた場合、受信側で情報を受信すると同時に、送信側に確認応答（ＡＣＫ：誤りなし）を送信するが、誤りを訂正できなかった場合、受信側は送信側に否定応答（ＮＡＣＫ：誤りあり）を送信して送信側にデータの再送を要求し、そして、受信側は受信した再送データに基づいて復号を行う。
【０００４】
図１はストップアンドウェイト（Stop-and-Wait）ＡＲＱ再送方式を示す図である。この方法では、送信側はデータユニット（ＰＤＵ）を送信した後、受信側から確認情報が返送されるのを待つが、受信側は正しく受信できた場合にＡＣＫ情報を返送し、送信側はＡＣＫ情報を受け取ってから次のＰＤＵを送信する。受信側はデータを正しく受信できなかった場合にＮＡＣＫ情報を返送し、送信側はＮＡＣＫ情報を受け取った後に当該ＰＤＵを再送する。この方法は実現簡単であるが、送信側は返送される確認情報を待つ必要があるため、効率が低い。
【０００５】
図２はＮ逆戻り（Go-Back-N自動再送）ＡＲＱ再送方式を示す図である。この方法では、送信側は受信側から返送される確認情報を待たずに、Ｎ個のＰＤＵを連続して送信する。受信側があるＰＤＵを正しく受信できなかった場合、送信側はエラーが発生したＰＤＵとその後に続くＮ-1個の送信済みのＰＤＵを再送すると同時に、受信側は受信したエラーが発生したＰＤＵとその後に続くＮ-1個のＰＤＵを破棄する。この方法には大きい往復遅延が存在し、また、一つのＰＤＵにエラーが発生すると、Ｎ個のＰＤＵを再送しなければならないため、効率が高いとは言い難い。
【０００６】
図３は選択的再送（Selective-Repeat）ＡＲＱ再送方式を示す図である。この方法では、送信側のＰＤＵは同様に連続送信されるものであるが、エラーが発生した場合には、エラーが発生したＰＤＵのみが再送される。そして、再送された後、送信側は続いて新しいＰＤＵを送信する。この方法は効率が高いが、ＰＤＵをユーザに送信するときに順番の並び替えが必要となるため、エラーが発生したＰＤＵの後のエラーが発生してないＰＤＵを
格納するためのバッファを受信側で設置しなければならない。
【０００７】
図４は従来のＡＲＱ動作のフロー図である。図４では、送信開始手順が作動し始めると（Ｓ４００）、受信側は設定に基づいて新しい信号を送信するかまたは信号を再送する（Ｓ４０１）。受信側は受信開始を作動させ（Ｓ４０２）、送信側から送信された信号を受信し（Ｓ４０３）、受信した情報にエラーがあるか否かを判断する（Ｓ４０４）。エラーがなければＡＣＫフィードバック信号を生成し（Ｓ４０５）、エラーがあればＮＡＣＫフィードバック信号を生成する（Ｓ４０６）。そして、生成されたフィードバック情報は送信側に送信され（Ｓ４０７）、受信側は再度受信開始の状態に入る（Ｓ４０８）。送信側はフィードバック情報を受信した後、受信したのがＡＣＫ信号なのかまたはＮＡＣＫ信号なのかを判断する（Ｓ４０９）。受信したのがＡＣＫ信号であれば、送信内容を新しいデータに設定し（Ｓ４１０）、そうでなければ送信信号を再送データに設定する（Ｓ４１１）。送信側は設定の内容に基づいて送信開始の状態に戻って（Ｓ４１２）、情報の送信を続ける。
【０００８】
上述した再送方式において、送信側と受信側との間にＡＣＫ／ＮＡＣＫ確認情報を逆方向伝送するためのチャネルを作らなければならない。ユーザが送信側で、基地局が受信側である場合、基地局と各ユーザとの間にそれぞれフィードバック情報を伝送するためのチャネルを作ることになる。一般には、一つまたは数個のビットでフィードバック情報ＡＣＫ／ＮＡＣＫを表示すればよい。
【０００９】
従来の移動通信ネットワークにおいて、基地局は移動局から送信された大量のデータを受信すると同時に、デ―タを受信した後、データを送信した各移動局にＡＣＫ／ＮＡＣＫ情報を送信しなければならない。これらの確認情報の量が大きいため、大量の無線リソースを使ってしまう。無線リソースが日に日に貴重なものになっていく中で、いかにそれを有効に利用するかが重要な課題になっている。
【発明の開示】
【発明が解決しようとする課題】
【００１０】
本発明の目的は、無線通信システムの下りチャネルにおいて複数のユーザのＡＣＫ／ＮＡＣＫ確認情報を効率よく伝送する、基地局における多ユーザフィードバック情報の分類合成伝送方法を提供することである。
【００１１】
本発明の分類合成伝送方法は、基地局における多ユーザフィードバック情報の分類合成伝送方法であって、特定の基準によってユーザを分類する工程と、異なる種別毎にユーザに送信するフィードバック情報を合成する工程と、合成後のフィードバック情報を圧縮する工程と、圧縮後のフィードバック情報を再合成する工程と、再合成されたフィードバック情報に対して符号化を行う工程と、符号化されたフィードバック情報をユーザに送信する工程と、を有する。
【００１２】
同じセルの各ユーザの情報伝送効率が異なるため、信号のよいユーザは情報伝送の効率が高く、基地局が送信するフィードバック情報の中でＡＣＫ情報が多く占めるが、セルエッジに位置するユーザは信号が悪く、受信するフィードバック情報の中でＮＡＣＫが多く占める。より良くデータの特性に基づいて圧縮を行うため、本発明では、基地局がまず同じセルにある複数のユーザの確認情報をＮ種類に分けてそれぞれ合成を行い、合成された確認情報をそれぞれのデータ特性に基づいて圧縮し、種類が異なる圧縮データを再合成して無線チャネルで送信する。これにより、従来ではユーザ毎に一つのフィードバックチャネルを割当てるのに対して、複数のユーザでフィードバックチャネルを共有することが可能となり、また、合成された多ユーザ情報を圧縮することにより、伝送するフィードバック情報が大幅に減少し、無線リソースの使用を節約することができる。
【００１３】
好ましくは、前記特定の基準をユーザの伝送効率、例えば、ユーザ信号のＳＮＲ値、ユーザのドップラーシフトまたはその他の測定値とすることができる。
【００１４】
また、好ましくは、異なる圧縮方法を用いて、異なる種類のユーザのフィードバック情報に対して圧縮を行うことができる。
【００１５】
また、好ましくは、前記圧縮方法を情報の長さを有効に短くすることができる圧縮符号化アルゴリズムとすることができる。
【００１６】
また、好ましくは、前記符号化を誤り訂正符号化とすることができる。
【００１７】
本発明の他の態様によれば、移動局における基地局から送信される分類されたユーザフィードバック情報の受信方法であって、当該方法は、基地局から送信された情報を受信する工程と、受信した情報を誤り訂正復号する工程と、誤り訂正復号後の情報を解凍する工程と、解凍後の情報の中から基地局の本移動局に対するフィードバック情報を抽出する工程と、を有する。
【００１８】
好ましくは、前記復号工程は受信したデータに対する誤り訂正検出を含む。前記誤り訂正検出工程が成功した場合には続けて他の工程を行うが、前記誤り訂正検出工程を失敗した場合、正しく復号できなかった部分の再送を基地局に要求する。
【００１９】
本発明の他の形態によれば、多ユーザフィードバック情報に対して分類合成伝送を行う基地局は、種別毎に複数のユーザのフィードバック情報を収集できるように特定の基準に基づいてユ―ザを分類する多ユーザフィードバック情報分類器と、種類が異なる合成されたフィードバック情報の特性に基づいて、適切な圧縮方法を用いて合成されたフィードバック情報に対してデータ圧縮を行う分類フィードバック情報圧縮器と、圧縮後の分類フィードバック情報を再合成する分類フィードバック情報合成器と、受信側で誤り訂正検出ができるように送信するフィードバック情報に冗長情報を付加する符号化器と、符号化後のフィ―ドバック情報をユーザに送信する送信器と、を有する。
【００２０】
好ましくは、前記基地局では、前記特定の基準をユーザの伝送効率、例えば、ユーザ信号のＳＮＲ値、ユーザのドップラーシフトまたはその他の測定値とすることができる。
【００２１】
また、好ましくは、前記圧縮方法を情報の長さを有効に短くすることができる圧縮符号化アルゴリズムとすることができる。
【００２２】
本発明の他の形態によれば、多ユーザフィードバック情報に対して分類合成伝送を行う移動局は、基地局から送信された情報を受信する情報受信手段と、受信した情報に対して復号を行う情報復号手段と、復号後の情報に対して解凍を行う解凍手段と、解凍後の情報の中から基地局の本移動局に対するフィードバック情報を抽出するフィードバック情報抽出手段と、を有する。
【００２３】
好ましくは、前記情報復号手段は受信したデータに対して誤り訂正検出を行うが、前記誤り訂正検出の操作が失敗した場合、正しく復号できなかった部分の再送を基地局に対して要求する。
【発明を実施するための最良の形態】
【００２４】
以下、本発明の実施の形態について、図面を用いて詳細に説明する。下記の実施の形態は説明目的に記載されたものであって、本発明の範囲に対する制限ではないことを述べておく。
【００２５】
本発明は、無線リソースの使用を節約するため、複数の種別毎にセルの中のユーザ確認情報をそれぞれ合成し、データの特性に基づいて合成された情報をそれぞれ圧縮し、圧縮後の情報を再合成してユーザに伝送する方法を提案する。この複数の種別は情報伝送の効率によって分けられたものである。例えば、フィードバック情報の中でＡＣＫが多く占めるユーザを一つの種類とし、ＡＣＫとＮＡＣＫ情報が基本的に等量であるユーザを他の種類とし、フィードバック情報の中でＮＡＣＫが多く占めるユーザをもう一つの種類とすることができる。この分類によって同一のデータ伝送特性を有するユーザのフィードバック情報を合成する。分類を行う際に依拠する情報伝送効率は、ユーザの上り信号のＳＮＲ値、ユーザのドップラーシフト、他の測定値、または複数の測定値の組み合わせであってもよい。
【００２６】
本発明は、分類合成された確認情報を圧縮してから送信する技術を採用する。圧縮の目的は、できるだけ少ない符号（ビット）で情報を伝送して情報伝送率を上げることにある。情報理論の符号化定理では、有効且つ高信頼性の情報伝送を実現できる最適な符号化または情報処理方法が存在することは既に理論的に証明されている。現在、ハフマン（Huffman）符号化アルゴリズムなど、多様な符号化圧縮方法が提案されている。ハフマン符号化アルゴリズムは、符号が語頭条件を満足し且つ平均符号長を最小とすることができる最適な情報源符号化を実現することが可能である。また、コンピュータのファイル圧縮に広く使われているLempel-Zivアルゴリズムなども一例として挙げられる。これらの符号化アルゴリズムはいずれも情報の長さを有効に短くすることができる。従って、本発明は、これらの圧縮アルゴリズムを組み合わせて情報を有効に伝送することにより、伝送の情報量を減少させ、無線リソースを節約することができる。
【００２７】
図５は本発明に係る移動通信システムの構成を示す図である。図５では、上半分には移動局の構成、下半分には基地局の構成が示されている。
【００２８】
基地局部分は、分類器５５４、圧縮器５５５、合成器５５６、符号化器５５７および送信器５２４を有する。
【００２９】
ユーザが基地局にデータを送信した後、基地局は受信したデータに対して復号を行うが、基地局が正しく復号できたか否かを示すフィードバック情報ＡＣＫ／ＮＡＣＫは即時にユーザにフィードバックしなければならない。分類器５５４は、基地局がユーザに情報を送信する際の異なる効率に基づいて、ユーザを複数の種別に分類する。分類の依拠となるものは基地局が測定したユーザのＳＮＲ値、ユーザのドップラーシフト、またはその他の測定値である。また、分類器５５４は各種別の複数のユーザのフィードバック情報をそれぞれ収集する。
【００３０】
圧縮器５５５は、合成データの特性に基づいて合成後の情報を圧縮し、伝送する情報量を減少させる。異なる種類の合成データは異なる特性を有している。ＡＣＫ情報を１、ＮＡＣＫ情報を０で示す場合、伝送効率が高い種類では合成データの中で１が多数を占め、伝送効率が一般である種類では合成データの中の１と０との個数は基本的に同量で、伝送効率が低い種類では合成データの中で０が多数を占める。異なる合成データの特性に基づいて、適切な圧縮方法を用いて圧縮を行うことができる。
【００３１】
基地局部分における関連手段が、本発明のフィードバック情報の分類合成を実現するために行う動作を以下に説明する。合成器５５６は、圧縮後のユーザ種類が異なるデータを再合成する。
【００３２】
受信側で誤り訂正検出ができるように、符号化器５５７は送信するフィードバック情報の中に冗長情報を付加する。ＨＡＲＱ技術または他の有効な方法を用いてエラー制御を行ってもよい。
【００３３】
送信器５２４は符号化後のフィードバック情報をすべてのユーザに送信する。
【００３４】
移動局部分は、受信器５２５、復号器５６６、解凍器５６７および情報抽出器５６８などを有する。
【００３５】
受信器５２５は基地局が送信した情報を受信するが、受信した情報の中に合成された複数のユーザのフィードバック情報が含まれている。
【００３６】
復号器５６６は受信した情報に対して誤り訂正検出を行い、正しければ情報を受信するが、そうでない場合には、移動局は正しく受信した部分の内容を格納すると同時にエラーが発生した情報の再送を基地局に要求し、元の情報と再送された内容とを合成して情報を正しく受信する確率を上げる。
【００３７】
解凍器５６７は復号後の情報を解凍し、合成された複数のユーザのＡＣＫ／ＮＡＣＫ情報を元に戻す。
【００３８】
情報抽出器５６８は受信した情報の中から自分のＡＣＫ／ＮＡＣＫ情報を抽出する。
【００３９】
本発明では、複数のユーザのフィードバック情報を種別毎に合成し、圧縮を経てから伝送を行うため、伝送する情報が少なくなり、無線リソースの使用を節約することができる。
【００４０】
移動局部分では、データの再送で使うためにまずデータをデータ複製器５１３で複製する。そして、符号化器５１４でデータの符号化を行うが、この符号化は例えば、誤り訂正（ＦＥＣ）、誤り検出（ＣＲＣ）とデータ再送との二つの機能を実現できるＨＡＲＱ符号化を用いることができる。符号化後のデータを変調器５１５で変調してから伝送器５１６を介してデータを伝送する。データはフェージングチャネル５１７を経て基地局部分の受信器５１８に受信される。そして、復調器５１９でデータの復調を行い、追跡結合／漸増冗長結合器５２０でチェイスコンバイニング（Chase Combining）とＩＲコンバイニング（Incremental Redundancy Combining）を行う。チェイスコンバイニングとＩＲコンバイニングはＨＡＲＱの二つの方法で、チェイスコンバイニングでは再送の情報と元の情報は同じものであるが、ＩＲコンバイニングでは再送の情報は冗長情報である。チェイスコンバイニング／ＩＲコンバイニングを経たデータは復号器５２１で復号され、データにエラーが発生した際、情報を新たに利用するため、または並べ替えして次の処理手順に渡すために、復号後のデータはデータ複製器５２２で複製される。データが復号された後、デー
タを正しく復号できたか否かでそれぞれＡＣＫ／ＮＡＣＫフィードバック情報を生成する。基地局において、複数のユーザのフィードバック情報は多ユーザフィードバック情報処理器５２３で分類、圧縮および合成された後に、送信器５２４を介して移動局にフィードバックされる。移動局の受信器５２５は基地局から送信された情報を受信した後、移動局内のフィードバック情報受信処理器５２６がフィードバック情報に対して解凍と情報抽出を行って本移動局のフィードバック情報を取得し、そしてフィードバック情報をデータ複製器５１３と符号化器５１４に供給する。符号化器５１４は、フィードバック情報がＡＣＫであれば、符号化器はそのまま新しいデータに対して符号化を行うが、フィードバック情報がＮＡＣＫであった場合、データ複製器５１３から元の情報を取り出し、システムで使用されるＨＡＲＱ方法（チェイスコンバイニングまたはＩＲコンバイニング）によってデータを符号化してから、ほかの処理手順を実行する。
【００４１】
図６は基地局における多ユーザフィードバック情報処理器および情報処理手順を示す図である。図６において、左の部分は図５に示す基地局部分の多ユーザフィードバック情報処理器、右の部分は多ユーザフィードバック情報処理器における情報処理の手順を示す図であり、左右両方は互いに対応している。また、中央の白い太めの矢印は対応する装置と手順を示しており、黒い太めの矢印は対応の情報を示している。まず、多ユーザのフィードバック情報６１は分類器６２によって分類されるが、分類は予め決められた分類テーブル６０に依拠して行われるものである。分類後、三種類のフィードバックデータ６３を得るが、各種類のフィードバック情報はそれぞれ分類フィードバック情報圧縮器６４によって圧縮される。圧縮後の複数種類の情報６５は分類フィードバック情報合成器６６で合成される。符号化器で合成情報６７に対して誤り訂正符号化６８を行って、符号化後の情報６９を得る。当該情報は情報ビットとパリティビットから構成されている。符号化後の情報は最終的に送信器７０から送信される。
【００４２】
ユーザの分類は分類テーブルに依拠して行われるものである。本実施の形態の分類テーブルはユーザのＳＮＲ値によって設定されたものであるが、表１に示すように、基地局の中のユーザが三種類に分けられる。分類の依拠となるのはユーザのＳＮＲ値、ユーザのドップラーシフト、またはその他の測定値であってもよい。
【表１】
0004675904.tif 000002
【００４３】
表１には、基地局における（ユーザのＳＮＲ値に基づいた）ユーザの分類が例示されている。
【００４４】
表１において、二つの判定点Ｓ１とＳ２を設定しており、ユーザのＳＮＲ値がＳ１より大きい場合、ユーザは第１種に分類される。ユーザのＳＮＲ値がＳ１とＳ２との間にある場合、ユーザは第２種に分類される。また、ユーザのＳＮＲ値がＳ２以下である場合、ユーザは第３種に分類される。Ｓ１とＳ２は所定の閾値であってもよい。第１種のユーザは信号伝送効率が低く、ＮＡＣＫ情報が多数を占める。第２種のユーザは伝送効率が一般であり、ＡＣＫ情報とＮＡＣＫ情報は基本的に同量である。第３種のユーザは伝送効率が高いため、フィードバック情報中のＡＣＫ情報が多数を占める。例えば、１１でＡＣＫを表し、００でＮＡＣＫを表した場合、第１種のユーザのフィードバック情報で０の数が多く、第２種のユーザのフィードバック情報で０と１との数は基本的に同じで、第３種のユー
ザのフィードバック情報で１の数が多い。これにより、各種のユーザのデータ特性に基づいてそれぞれに適した圧縮方法を用いて圧縮を行うことが可能となる。例えば、１が多数を占めるデータに対して大きい圧縮率を有する方法で、第３種に対して圧縮を行い、１と０とが基本的に同量であるデータに対して大きい圧縮率を有する方法で、第２種に対してデータ圧縮を行うことができる。図７は分類フィードバック情報圧縮器を示す図である。７１は第Ｎ種ユーザのフィードバック情報合成であり、００でＡＣＫを表し、１１でＮＡＣＫを表した場合、この種のユーザのフィードバック情報のデータが７２に示されたとおりになる。圧縮操作を経た後、圧縮後のユーザのフィードバック情報７３は明らかに短縮され、６個のビット１０１１０１のみで圧縮後のフィードバック情報７４を表すことができる。
【００４５】
図８は移動局のフィードバック情報受信処理器と情報処理手順を示す図である。左の図は図５における移動局部分のフィードバック情報受信処理器で、右の図は移動局がフィードバック情報に対して行う処理の手順を示す図である。左右両方は互いに対応しており、また、中央の白い太めの矢印は対応する装置と手順を示し、黒い太めの矢印は処理する情報の対応関係を示している。まず、移動局の情報受信部分８０は基地局から送信された多ユーザのフィードバック情報８１を受信し、受信された情報は情報ビットとパリティビットから構成されている。受信した情報はまず復号器８２で復号され、パリティビットを取り除かれる。復号後の情報は圧縮後の多種別ユーザのフィードバック情報の合成８３である。復号後のデータに対して情報解凍器８４で解凍を行い、解凍された後、複数のユーザの合成フィードバック情報８５に戻される。そして、フィードバック情報抽出器８６によって本移動局で必要なフィードバック情報８７が抽出される。
【００４６】
以上、典型的な実施の形態によって本発明を例示して説明したが、当業者には、本発明の精神と範囲から逸脱することなく、種々の変更、入れ替えおよび添加がなされても良いことを理解されたい。従って、本発明は添付された請求の範囲によって限定されてものであり、上述した特定の実施の形態に限られたものとして理解されるべきではない。
【図面の簡単な説明】
【００４７】
【図１】ストップアンドウェイト（Stop-and-Wait）ＡＲＱ再送方式を示す図
【図２】Ｎ逆戻り（Go-Back-N自動再送）ＡＲＱ再送方式を示す図
【図３】選択的再送（Selective-Repeat）ＡＲＱ再送方式を示す図
【図４】従来のＡＲＱ動作のフロー図
【図５】本発明の実施の形態に係る移動通信システムの構成を示す図
【図６】図５に示す基地局部分の多ユーザフィードバック情報処理器と情報処理の手順を示す図
【図７】図５に示す基地局部分の分類フィードバック情報圧縮器を示す図
【図８】図５に示す移動局のフィードバック情報受信処理器と情報処理手順を示す図
【図１】
0004675904.tif 000003
【図２】
0004675904.tif 000004
【図３】
0004675904.tif 000005
【図４】
0004675904.tif 000006
【図５】
0004675904.tif 000007
【図６】
0004675904.tif 000008
【図７】
0004675904.tif 000009
【図８】
0004675904.tif 000010